【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１の無線アクセス技術に対応する第１の信号を、前記第１の無線アクセス技術に関連する第１のアンテナを介して受信することと、
前記第１の無線アクセス技術に対応する第２の信号を、前記第１の無線アクセス技術に関連する第２のアンテナを介して受信することと、
第２の無線アクセス技術に関連する少なくとも１つの構成要素によって前記第２の信号を処理することと、前記第２の無線アクセス技術は、前記第１の無線アクセス技術とは異なる、
を備える、方法。
【請求項２】
前記第１の無線アクセス技術に関連する少なくとも１の構成要素によって前記第１の信号を処理することをさらに備える、請求項１に記載の方法。
【請求項３】
前記第１の無線アクセス技術は、ユーザ機器（ＵＥ）の第１の加入者識別モジュール（ＳＩＭ）をサポートし、前記第２の無線アクセス技術は、前記ＵＥの第２のＳＩＭをサポートする、請求項１に記載の方法。
【請求項４】
前記第１の無線アクセス技術は、ワイヤレスワイドエリアネットワーク（ＷＷＡＮ）に関連する、請求項１に記載の方法。
【請求項５】
前記第２の無線アクセス技術は、ワイヤレスローカルエリアネットワーク（ＷＬＡＮ）に関連する、請求項１に記載の方法。
【請求項６】
前記第１の無線アクセス技術に関連する無線周波数（ＲＦ）フロントエンド構成要素を使用して前記第２の信号を処理することをさらに備える、請求項１に記載の方法。
【請求項７】
前記第１の無線アクセス技術に関連する増幅器を使用して前記第２の信号を処理することをさらに備える、請求項１に記載の方法。
【請求項８】
前記第２のアンテナは、前記第１の無線アクセス技術に関連するダイバーシティアンテナである、請求項１に記載の方法。
【請求項９】
前記第２の無線アクセス技術に関連する第３のアンテナを介して、前記第２の無線アクセス技術に関連する第３の信号を受信することをさらに備える、請求項１に記載の方法。
【請求項１０】
前記第１の信号は、ロングタームエボリューション（ＬＴＥ）通信またはＬＴＥアドバンスト通信のうちの１つに関連する、請求項１に記載の方法。
【請求項１１】
前記第２の信号は、モバイル通信用グローバルシステム（ＧＳＭ）通信に関連する、請求項１に記載の方法。
【請求項１２】
ワイヤレス通信のための方法であって、
第１の無線アクセス技術に対応する第１の信号を、前記第１の無線アクセス技術に関連する第１のアンテナを介して送信することと、
第２の無線アクセス技術に関連する少なくとも１つの構成要素によって第２の信号を処理することと、前記第２の無線アクセス技術は、前記第１の無線アクセス技術とは異なる、
前記第１の無線アクセス技術に対応する第２の信号を、前記第１の無線アクセス技術に関連する第２のアンテナを介して送信することと、
を備える、方法。
【請求項１３】
前記第１の無線アクセス技術に関連する少なくとも１の構成要素によって前記第１の信号を処理することをさらに備える、請求項１２に記載の方法。
【請求項１４】
前記第１の無線アクセス技術は、ユーザ機器（ＵＥ）の第１の加入者識別モジュール（ＳＩＭ）をサポートし、前記第２の無線アクセス技術は、前記ＵＥの第２のＳＩＭをサポートする、請求項１２に記載の方法。
【請求項１５】
前記第１の無線アクセス技術に関連するベースバンド構成要素からの前記第２の信号を、前記第２の無線アクセス技術に関連する少なくとも１つの構成要素にルーティングすること、ここにおいて、前記第２の無線アクセス技術に関連する少なくとも１つの構成要素はアナログ構成要素である、をさらに備える、請求項１２に記載の方法。
【請求項１６】
前記第２のアンテナは、前記第１の無線アクセス技術に関連するダイバーシティアンテナである、請求項１２に記載の方法。
【請求項１７】
前記第２の無線アクセス技術に関連する前記少なくとも１つの構成要素によって前記第２の信号を処理するための第１の時間を決定することと、
前記第２の無線アクセス技術に関連する前記少なくとも１つの構成要素によって第３の信号を処理するための第２の時間を決定することと、前記第３の信号は前記第２の無線アクセス技術に対応する、をさらに備える、請求項１２に記載の方法。
【請求項１８】
ワイヤレス通信のための装置であって、
プロセッサと、
前記プロセッサと電子通信しているメモリと、
前記メモリに記憶される命令と、
を備え、前記命令は、前記プロセッサによって、
第１の無線アクセス技術に対応する第１の信号を、前記第１の無線アクセス技術に関連する第１のアンテナを介して受信することと、
前記第１の無線アクセス技術に対応する第２の信号を、前記第１の無線アクセス技術に関連する第２のアンテナを介して受信することと、
第２の無線アクセス技術に関連する少なくとも１つの構成要素によって前記第２の信号を処理することと、前記第２の無線アクセス技術は、前記第１の無線アクセス技術とは異なる、を行うように実行可能である、
を備える、装置。
【請求項１９】
前記命令は、前記第１の無線アクセス技術に関連する少なくとも１の構成要素によって前記第１の信号を処理すること、を行うように前記プロセッサによってさらに実行可能である、請求項１８に記載の装置。
【請求項２０】
前記第１の無線アクセス技術は、ユーザ機器（ＵＥ）の第１の加入者識別モジュール（ＳＩＭ）をサポートし、前記第２の無線アクセス技術は、前記ＵＥの第２のＳＩＭをサポートする、請求項１８に記載の装置。
【請求項２１】
前記命令は、前記第１の無線アクセス技術に関連する無線周波数（ＲＦ）フロントエンド構成要素を使用して前記第２の信号を処理すること、を行うように前記プロセッサによってさらに実行可能である、請求項１８に記載の装置。
【請求項２２】
前記命令は、前記第１の無線アクセス技術に関連する増幅器を使用して前記第２の信号を処理すること、を行うように前記プロセッサによってさらに実行可能である、請請求項１８に記載の装置。
【請求項２３】
前記第２のアンテナは、前記第１の無線アクセス技術に関連するダイバーシティアンテナである、請求項１８に記載の装置。
【請求項２４】
前記命令は、前記第２の無線アクセス技術に関連する第３のアンテナを介して、前記第２の無線アクセス技術に関連する第３の信号を受信すること、を行うように前記プロセッサによってさらに実行可能である、請求項１８に記載の装置。
【請求項２５】
ワイヤレス通信のための装置であって、
プロセッサと、
前記プロセッサと電子通信しているメモリと、
前記メモリに記憶される命令と、
を備え、前記命令は、前記プロセッサによって、
第１の無線アクセス技術に対応する第１の信号を、前記第１の無線アクセス技術に関連する第１のアンテナを介して送信することと、
第２の無線アクセス技術に関連する少なくとも１つの構成要素によって第２の信号を処理することと、前記第２の無線アクセス技術は、前記第１の無線アクセス技術とは異なる、
前記第１の無線アクセス技術に対応する第２の信号を、前記第１の無線アクセス技術に関連する第２のアンテナを介して送信することと、を行うように実行可能である、装置。
【請求項２６】
前記命令は、前記第１の無線アクセス技術に関連する少なくとも１の構成要素によって前記第１の信号を処理することを行うように前記プロセッサによって、さらに実行可能である、請求項２５に記載の装置。
【請求項２７】
前記第１の無線アクセス技術は、ユーザ機器（ＵＥ）の第１の加入者識別モジュール（ＳＩＭ）をサポートし、前記第２の無線アクセス技術は、前記ＵＥの第２のＳＩＭをサポートする、請求項２５に記載の装置。
【請求項２８】
前記命令は、前記第１の無線アクセス技術に関連するベースバンド構成要素からの前記第２の信号を、前記第２の無線アクセス技術に関連する少なくとも１つの構成要素に、ルーティングすること、ここにおいて、前記第２の無線アクセス技術に関連する少なくとも１つの構成要素はアナログ構成要素である、を行うように前記プロセッサによってさらに実行可能である、請求項２５に記載の装置。
【請求項２９】
前記第２のアンテナは、前記第１の無線アクセス技術に関連するダイバーシティアンテナである、請求項２５に記載の装置。
【請求項３０】
前記命令は、
前記第２の無線アクセス技術に関連する前記少なくとも１つの構成要素によって前記第２の信号を処理するための第１の時間を決定することと、
前記第２の無線アクセス技術に関連する前記少なくとも１つの構成要素によって第３の信号を処理するための第２の時間を決定することと、前記第３の信号は前記第２の無線アクセス技術に対応する、を行うように前記プロセッサによってさらに実行可能である、請求項２５に記載の装置。